(57)【特許請求の範囲】
【請求項１】
交換機を介した通信転送機能を有する通信端末装置において、電話番号が異なる第１回線及び第２回線が夫々に割り当てられた端末装置本体及び電話機と、前記第１回線の着信時に非音声端末からの通信であることを示す信号を受信しない場合、前記第１回線を介して前記交換機へ前記第２回線の電話番号を送出する手段と、前記第２回線が使用中であるか否かを判断する手段とを備え、前記第２回線が使用中でない場合に前記電話機への転送を行い、前記第２回線が使用中である場合には前記電話機への転送を行わないようにしたことを特徴とする通信端末装置。
【発明の詳細な説明】
【０００１】
【発明の属する技術分野】
本発明は、転送機能を有する通信端末装置に関する。
【０００２】
【従来の技術】
自身の電話機にかかってきた電話を他の電話機に転送する機能（着信転送機能：ボイスワープ）が実現されている。このような転送機能の実施態様として、かかってきた電話をベルを鳴らさずに所定の転送先へ直接転送する無条件転送モード、所定回数のベルを鳴らして無応答である場合に所定の転送先へ転送する無応答時転送モード、一旦応答した電話を所定の転送先へ転送する応答後転送モードなどがある。
【０００３】
ところで、付属の電話機を備えるファクシミリ装置に通常の電話がかかってくることがある。このような場合に、従来では、付属の電話機に対してアラーム信号を送出してその電話機のベルを鳴らしている。
【０００４】
【発明が解決しようとする課題】
このような従来のファクシミリ装置では、アラーム信号を送って電話機のベルを鳴らして呼び出すための専用回路が必要であるという問題がある。
【０００５】
本発明は斯かる事情に鑑みてなされたものであり、通常の電話がかかってきた場合に、従来のような呼出し用の専用回路がなくても電話機の呼出しが可能である通信端末装置を提供することを目的とする。
【０００６】
【課題を解決するための手段】
本発明に係る通信端末装置は、交換機を介した通信転送機能を有する通信端末装置において、電話番号が異なる第１回線及び第２回線が夫々に割り当てられた端末装置本体及び電話機と、前記第１回線の着信時に非音声端末からの通信であることを示す信号を受信しない場合、前記第１回線を介して前記交換機へ前記第２回線の電話番号を送出する手段と、前記第２回線が使用中であるか否かを判断する手段とを備え、前記第２回線が使用中でない場合に前記電話機への転送を行い、前記第２回線が使用中である場合には前記電話機への転送を行わないようにしたことを特徴とする。
【０００９】
本発明の通信端末装置にあっては、例えばＩＳＤＮの複数回線を使用しており、端末装置本体側の第１回線の着信時に非音声端末からの通信であることを示す信号（例えばＣＮＧ信号）を受信しない場合、第１回線を介して交換機へ、転送先となる付属の電話機側の第２回線の電話番号を送出する。よって、従来のような呼出し用の専用回路が不要となり、通常の電話がかかってきた場合に、高速に効率良く転送を行える。また、第２回線が使用中であるか否かを判断し、使用中でない場合に転送を行い、使用中である場合には転送を行わない。よって、使用中である場合に無駄な転送が試みられず効率的である。
【００１２】
【発明の実施の形態】
以下、本発明をその実施の形態を示す図面を参照して具体的に説明する。
図１は、本発明の通信端末装置としてのファクシミリ装置２０の構成を示すブロック図である。ファクシミリ装置２０は、主制御部１，読取部２，記録部３，表示部４，操作部５，ＲＯＭ６，ＲＡＭ７，画像メモリ８，タイマ９，モデム１０，ＤＳＵ（Ｄｉｇｉｔａｌ  Ｓｅｒｖｉｃｅ  Ｕｎｉｔ）１１，付属の電話機１２等を備えている。
【００１３】
主制御部１は、具体的にはＣＰＵで構成されており、バス１３を介してファクシミリ装置２０の上述したようなハードウェア各部と接続されていて、それらを制御すると共に、ＲＯＭ６に格納されたコンピュータプログラムに従って、種々のソフトウェア的機能を実行する。
【００１４】
読取部２は、例えばＣＣＤを利用したスキャナで原稿を読み取り、ドットイメージデータを出力する。記録部３は、電子写真方式のプリンタ装置であって、ファクシミリ通信により受信した画データ、または、読取部２にて読み取った原稿の画データをハードコピーとしてプリントアウトする。
【００１５】
表示部４は、液晶表示装置またはＣＲＴディスプレイ等の表示装置であり、ファクシミリ装置２０の動作状態を表示したり、送信すべく読み取った原稿の画データまたは受信した画データの表示を行う。操作部５は、ファクシミリ装置２０を操作するために必要な文字キー，テンキー，短縮ダイヤルキー，ワンタッチダイヤルキー，各種のファンクションキー等を備えている。なお、表示部４をタッチパネル方式とすることにより、操作部５の各種のキーの内の一部または全部を代用することも可能である。
【００１６】
ＲＯＭ６は、ファクシミリ装置２０の動作に必要な種々のソフトウェアのプログラムを予め格納している。ＲＡＭ７は、ＳＲＡＭまたはフラッシュメモリ等で構成され、ソフトウェアの実行時に発生する一時的なデータを記憶する。画像メモリ８は、ＤＲＡＭ等で構成され、送信すべき画データまたは受信した画データを蓄積する。タイマ９は、所定時間を計測する。
【００１７】
モデム１０は、Ｄ／Ａ変換・Ａ／Ｄ変換機能とファクシミリ通信機能とを備えたモデムである。ＤＳＵ１１は、ディジタル回線網（ＩＳＤＮ）における交換機３０とのＩＳＤＮ回線Ｌの閉結及び開放の動作を行うハードウェアであり、必要に応じてモデム１０をディジタル回線網と接続する。電話機１２は、モデム１０に接続されており、通常の通話時に使用される。
【００１８】
このファクシミリ装置２０には、電話番号が異なる２つのＩＳＤＮ回線が割り当てられており、その一方の第１回線はファクシミリ通信における画データの送受信時に使用され、その他方の第２回線は電話機１２による通常の通話時に使用される。
【００１９】
本発明のファクシミリ装置２０にあっては、第１回線に着信された場合、その通信が画データ通信でないとき、つまり通常の電話通信であるときに、第１回線を用いて電話機１２用の第２回線の電話番号を交換機３０へ送出し、電話機１２を発呼させて転送を行うようになっている。
【００２０】
次に、動作について説明する。図２は、ファクシミリ装置２０の処理動作の手順を示すフローチャートである。
【００２１】
主制御部１は、第１回線にて任意の送信元からの着呼を検知した場合（ステップＳ１：ＹＥＳ）、その送信元からの送信信号に、発呼局が非音声端末であることを示すＣＮＧ信号（発呼トーン）が含まれているか否かを判断する（ステップＳ２）。ＣＮＧ信号が含まれている場合に（Ｓ２：ＹＥＳ）、画データの通信であるので、主制御部１は、送信される画データを受信する（ステップＳ１１）。
【００２２】
ＣＮＧ信号が含まれていない場合に（Ｓ２：ＮＯ）、主制御部１は、第２回線が使用中であるか否かを判断する（ステップＳ３）。使用中でない場合（Ｓ３：ＮＯ）、主制御部１は、第１回線をフッキングし（ステップＳ４）、第１回線を介して第２回線の電話番号をダイヤルする（ステップＳ５）。なお、第２回線が使用中である場合に（Ｓ３：ＹＥＳ）、主制御部１は、「不在です。後ほどおかけ直し下さい。」のメッセージを送信元へ送信する（ステップＳ１０）。
【００２３】
そして、主制御部１は、Ｓ５でのダイヤル発呼に対する応答があったか否か、言い換えれば、第２回線がオフフックとなったか否かを判断する（ステップＳ６）。この応答の有無の判断は、タイマ９で計測される所定時間内で繰り返される（ステップＳ８：ＮＯ）。所定時間内に応答があった場合に（Ｓ６：ＹＥＳ）、主制御部１は、第１回線を開放する（ステップＳ７）。このようにして電話機１２への転送が完了する。
【００２４】
所定時間内に第２回線からの応答がない場合に（Ｓ８：ＹＥＳ）、主制御部１は、第１回線のフッキングを解除して（ステップＳ９）、「不在です。後ほどおかけ直し下さい。」のメッセージを送信元へ送信する（ステップＳ１０）。
【００２５】
なお、上述した例では、ファクシミリ装置が付属の電話機を付設しており、その電話機に外部からの電話を転送するようにしたが、この例とは異なり、夫々が異なる電話回線（電話番号）を有するファクシミリ装置と通常の電話機とが併設され、上記例のように共通のモデム，ＤＳＵを使用するのではなくて夫々の通信処理が独立的に行われるような構成にも、本発明は同様に適用できることは勿論である。
【００２６】
【発明の効果】
以上のように本発明では、着信時に、回線を閉結した後に非音声端末からの通信であることを示す信号（ＣＮＧ信号）を受信しない場合に、交換機に対して電話機の電話番号を送出して、電話機への転送を行うようにしたので、通常の電話を所定の電話機に容易に転送することができる。この際、電話機に対する従来のような呼出し用の専用回路は不要であり、簡便に呼出しを行うことができる。
【００２７】
また本発明では、ＩＳＤＮの複数回線を使用し、第１回線の着信時に、第１回線を介して交換機に対して、送信先となる第２回線の電話番号を送出するようにしたので、高速に効率良く転送を行うことができる。
【００２８】
更に本発明では、第２回線が使用中であるか否かを判断し、使用中である場合には転送を行わないようにしたので、使用中である場合に無駄な転送を試みることを事前に防止できて効率的である。
【図面の簡単な説明】
【図１】本発明のファクシミリ装置の構成を示すブロック図である。
【図２】本発明のファクシミリ装置の処理動作の手順を示すフローチャートである。
【符号の説明】
１  主制御部
６  ＲＯＭ
７  ＲＡＭ
８  画像メモリ
１０  モデム
１１  ＤＳＵ
１２  電話機
２０  ファクシミリ装置
３０  交換機
【図１】
0003567858.tif 000002
【図２】
0003567858.tif 000003